(57)【要約】【課題】  乳幼児の保持が可能であり、また衣服との一体化が可能なショールを提供する。【解決手段】  ショールは、所定の幅を有する長手部材１１で構成される。長手部材１１の両端部の近傍には、それぞれ開口部１３ａ、１３ｂが設けられ、それらを介して長手部材１１の内部にはクッション材２０を収納可能である。【選択図】        図２
2006169674.tif 000002
【特許請求の範囲】
【請求項１】
所定の幅を有する袋状の長手部材と、
前記袋状の長手部材の中に収納されたクッション材とを備える、ショール。
【請求項２】
前記長手部材の両端部には、前記クッション材を出し入れするための開口部が設けられている、請求項１に記載のショール。
【請求項３】
前記長手部材の両端部には、手袋が設けられる、請求項１または２に記載のショール。
【請求項４】
前記クッション材を出し入れするための開口部は、前記手袋の開口部として機能する、請求項２または３に記載のショール。
【請求項５】
所定の幅を有する長手部材と、
前記長手部材の両端部に設けられた一対の手袋とを備える、ショール。
【請求項６】
前記長手部材の内部にはクッション材が収納されている、請求項５に記載のショール。
【請求項７】
請求項１から５のいずれかに記載のショールを備えた、衣服。
【請求項８】
前記ショールを襟に取付けている、請求項７に記載の衣服。
【請求項９】
前記ショールは、襟から取り外し可能に設けられている、請求項７に記載の衣服。
【発明の詳細な説明】
【技術分野】
【０００１】
この発明はショールおよび衣服に関し、特に、乳幼児を抱くのに適したショールおよび衣服に関する。
【背景技術】
【０００２】
従来のショールが、たとえば、特開２００１−１４６６０９号公報（特許文献１）に開示されている。特許文献１に開示されたショールは、面状の発熱体を内部に備えている。
【０００３】
一方ショールと同様のマフラーがたとえば、特開平８−１００３１３号公報（特許文献２）に開示されている。特許文献２に開示されたマフラーは羽毛などの保温材を内装している。
【特許文献１】特開２００１−１４６６０９号公報（段落番号０００４等）
【特許文献２】特開平８−１００３１３号公報（段落番号０００４等）
【発明の開示】
【発明が解決しようとする課題】
【０００４】
従来のショールまたはマフラーは上記のように構成されていた。使用時の保温については考慮されていたが、それを用いて乳幼児を保持するというような考えはなかった。また、衣服との一体化等についても考慮されていなかった。
【０００５】
この発明は、上記に鑑みてなされたもので、乳幼児を寝かせたり、その状態で乳幼児を抱くことが可能なショールを提供することを目的とする。
【０００６】
この発明の他の目的は、ファッション性を有する、ショールを襟に取付け可能な衣服を提供することである。
【課題を解決するための手段】
【０００７】
この発明にかかる、ショールは、所定の幅を有する袋状の長手部材と、袋状の長手部材の中に収納されたクッション材とを備える。
【０００８】
ショールを構成する長手部材の中にクッション材を収納しているため、ショールの上に乳幼児を寝かせたり、その状態で乳幼児を抱くことができる。
【０００９】
好ましくは、長手部材の両端部には、クッション材を出し入れするための開口部が設けられている。
【００１０】
開口部を介してクッション材を出し入れできるため、乳幼児を保持しないときは、クッション材を取出して、通常のショールとして使用が可能である。
【００１１】
さらに好ましくは、長手部材の両端部には、手袋が設けられる。両端部に手袋が設けられているため、襟部分を暖かく保持しながら、手も暖かく保つことができる。
【００１２】
なお、クッション材を出し入れするための開口部は、手袋の開口部として機能してもよい。
【００１３】
この発明の他の局面においては、ショールは、所定の幅を有する長手部材と、長手部材の両端部に設けられた一対の手袋とを備える。
【００１４】
好ましくは、長手部材の内部にはクッション材が収納されている。
【００１５】
この発明のさらに他の局面においては、衣服は、上記のショールを備えている。
【００１６】
衣服に上記のショールが取付けられるため、ファッション性の優れた衣服が提供できる。
【００１７】
この場合、ショールは、襟に取付けられていてもよいし、襟から取り外し可能に設けられていてもよい。
【発明を実施するための最良の形態】
【００１８】
以下、この発明の一実施の形態を、図面を参照して説明する。図１はこの発明の一実施の形態に係る、ショールをその中央部で２つ折りにした場合の外形を示す平面図である。なお、ここでは、ショールを例にあげて説明しているが、一般に、羽織ることができるものをショール、またはストールといい、羽織ることのできない、幅の狭いものをマフラーと呼んでいるが、ここでは、それらを総称してショールという。
【００１９】
図１を参照して、ショール１０は、所定の幅を有する袋状の長手部材１１と、長手部材１１の両端部に設けられた手袋１２ａ、１２ｂと、手袋１２ａ、１２ｂの近傍に設けられたショール１０の幅方向に長い開口部１３ａ、１３ｂとを含む。
【００２０】
ここで、長手部材１１および手袋１２ａ、１２ｂは、毛糸等の暖かく、柔らかい繊維を編むことによって形成されてもよい。なお、毛糸等の繊維に限らず、柔らかくて保温性のあるものであれば、任意の材料でショール１０を構成してもよい。
【００２１】
長手部材１１には、長手部材１１をほぼ中央部で折り曲げたときに、その内面側において対向する位置に設けられたボタン１５ａとループ１５ｂとが設けられる。また、外面側には、それぞれ２箇所のループ１６ａ、１６ｂおよび１６ｃ、１６ｄが設けられている。これらのボタン１５ａ、ループ１５ｂ、１６ａ〜１６ｄの使用方法については後に説明する。
【００２２】
図２は、図１に示したショール１０の内部に出し入れ可能な長手のクッション材２０と（図２（Ａ））、クッション材２０を開口部１３ａ、１３ｂを介して長手部材１１へ挿入する途中を示す図（図２（Ｂ））と、挿入済の状態を示す図（図２（Ｃ））である。
【００２３】
クッション材２０は、内部に所定の厚さを有するスポンジ等の弾力性を有する材料が詰め込まれている。これを図２（Ｂ）に示すように、開口部１３ａまたは１３ｂのいずれかから長手部材１１の内部に収納する。収納後の状態を図２（Ｃ）に示すが、ここに示すように、クッション材２０は、長手部材１１の内部に完全に収納されるように、２つの開口部１３ａ、１３ｂ間の寸法よりも短い方が好ましい。
【００２４】
次に、ショール１０を乳幼児のベッドとして使用する方法について説明する。図３は、図１に示すショール１０を反転した状態を示す図である。このように反転すると、開口部１３ａ、１３ｂが裏側に位置するため、ショール１０の表面に開口部がなくなり、フラットになる。
【００２５】
図４は、この状態、または、折り曲げられたショール１０の一方側および他方側をより相互に近接させて、その上に乳幼児を寝かせた状態を示す図である。図４に示すように、ショール１０は、乳幼児がその上で眠るのに十分な幅寸法を有している。
【００２６】
このように、ショール１０は、クッション性を有しているため、乳幼児のベッドとして利用可能である。
【００２７】
図５は、図４に示した乳幼児をショール１０のベッドで寝かせた状態でショール１０ごと乳幼児を抱いた状態を示す図である。このように、この実施の形態に係るショール１０は、乳幼児を抱く抱き具としても使用可能である。
【００２８】
このように、母親がショール１０を赤ちゃんを抱く抱き具としても使用したときは、赤ちゃんの頭部を胸の近辺にくるように抱くことによって、授乳時に赤ちゃんの口を乳首の位置に保持することができる。その結果、赤ちゃんを暖かくくるんだ状態で授乳が可能になる。
【００２９】
次に、ショール１０の他の使用形態について説明する。図６は、ショール１０を通常のように羽織って乳幼児を抱いた状態を示す図である。このように、ショール１０は、通常のショールとしても利用可能である。また、このショール１０には、手袋１２ａ、１２ｂが付属しているため、手を暖かい状態に保ったままで乳幼児を抱くことができる。なお、この手袋１２ａ、１２ｂの開口部としては、上記した、クッション材２０を出し入れするための開口部１３ａ、１３ｂを利用できる。
【００３０】
次にこのショール１０を襟に取付けることによって、ショール１０と組み合わせて使用可能な衣服について説明する。ここでは衣服として、カーディガンを例にあげて説明する。図７は、ショール１０と組み合わせて使用可能なカーディガンを示す図である。図７を参照して、カーディガン３０は、左右の前身頃３１ａ，３１ｂと、左右の前身頃３１ａ，３１ｂに接続された後身頃３２と、両袖３３ａ、３３ｂとを含み、左右の前身頃３１ａ，３１ｂのそれぞれのフロント部３４ａ、３４ｂには、それぞれ２個ずつのボタン３５ａ、３５ｂおよび３５ｃ，３５ｄが設けられている。
【００３１】
図８は、図７に示したカーディガン３０の襟にショール１０を取付けた状態を示す図である。図８に示すように、カーディガン３０のフロント部３４ａ、３４ｂに設けられたボタン３５ａ〜３５ｄが図３に示したショール１０のループ１６ａ〜１６ｄにそれぞれ係合し、ショール１０がカーディガン３０の襟に着脱自在に取付けられる。
【００３２】
なお、図８では、ショール１０の内部にクッション材２０が収納された状態を示しているが、クッション材２０を必ずしも収納する必要はない。
【００３３】
次に、図８に示した、ショール１０と組み合わされたカーディガン３０の着用方法について説明する。図９は、ショール１０と組み合わされたカーディガン３０を着用した状態を示す図である。図９（Ａ）は、カーディガン３０を着て手袋１２ａ、１２ｂに手を通さない状態を示し、図９（Ｂ）は、カーディガン３０を着て手袋１２ａ、１２ｂに手を通した状態を示す図である。これらの図に示すように、着用者が特に妊婦等でない場合、または、妊娠の初期で、お腹があまり出ていないときは、この実施の形態に係るショールと、これに組み合わせ可能なカーディガン３０は、二重の襟付きの、一般のファッションとして十分通じる形態を有している。
【００３４】
なお、ショール１０のボタン１５ａとループ１５ｂとは、必要に応じて係合してもよい。このような使用方法は、妊婦のお腹が多少大きくなってきたときに、お腹の部分をショールで保護できるため、好ましい。
【００３５】
また、お腹が大きく出た妊婦がショール１０付きのカーディガン３０を着用した場合は、カーディガン３０のボタン１５ａとループ１５ｂとを係合してもカーディガン３０だけでは覆えない妊婦の腹部を、ショール１０で完全に覆うことが可能になる。
【００３６】
次に、図９に示したショール１０に組み合わせ可能なカーディガンを用いて乳幼児を抱く場合について説明する。図１０は、そのような状態を示す図である。図１０を参照して、ショール１０を襟に取付けたカーディガン３０を着用した人は、自らの体を温かく保った状態で乳幼児も温かくくるむことができる。
【００３７】
なお、このとき、ショール１０をカーディガン３０から外してカーディガン３０のみを着用し、図５に示したようにショール１０を乳幼児用の抱き具として使用してもよい。
【００３８】
次に、カーディガン３０の他の用途について説明する。図１１は、図４に示したように乳幼児をショール１０の上に寝かせた状態で、その上にカーディガン３０を載置した状態を示す図である。このように、ショール１０を乳幼児用のベッドとして使用するときには、カーディガン３０を、乳幼児の上に掛けるおくるみの一部として使用可能である。
【００３９】
なお、このショールは、椅子等に座ったときに、太股の下部に載置して、足のむくみ解消に役立つクッションとしても使用可能である。
【００４０】
なお、上記実施の形態においては、ショールを構成する長手部材の両端部に手袋を設ける場合について説明したが、これに限らず、手袋はなくてもよい。
【００４１】
また、上記実施の形態においては、ショールに組み合わせ可能な衣服としてカーディガンを例にあげて説明したが、これに限らず、セータや、コートや、袖のない、ベスト状の衣服等であってもよい。
【００４２】
また、上記実施の形態においては、ショールを構成する長手部材中にクッション材を出し入れ可能に構成したが、これに限らず、クッション材は、長手部材内に、取出し不可能に収納されていてもよい。
【００４３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４４】
【図１】この発明の１実施の形態に係るショールを示す図である。
【図２】ショールを構成する長手部材の内部に収納可能なクッション材と、それを長手部材の内部に挿入する手順を示す図である。
【図３】図１に示したショールを反転させた状態を示す図である。
【図４】ショールの一使用形態を説明する図である。
【図５】ショールの他の使用形態を説明する図である。
【図６】ショールのさらに他の使用形態を説明する図である。
【図７】ショールに組み合わせて使用可能なカーディガンを示す図である。
【図８】ショールとカーディガンとを組み合わせた状態を示す図である。
【図９】ショールとカーディガンとを組み合わせて着用した状態を示す図である。
【図１０】ショールとカーディガンとを組み合わせたものを着用して乳幼児を抱いた状態を示す図である。
【図１１】カーディガンの使用形態を示す図である。
【符号の説明】
【００４５】
１０  ショール、１１  長手部材、１２  手袋、１３  開口部、１５  ボタン、１６  ループ、２０  クッション材、３０  カーディガン。
【図１】
2006169674.tif 000003
【図２】
2006169674.tif 000004
【図３】
2006169674.tif 000005
【図４】
2006169674.tif 000006
【図５】
2006169674.tif 000007
【図６】
2006169674.tif 000008
【図７】
2006169674.tif 000009
【図８】
2006169674.tif 000010
【図９】
2006169674.tif 000011
【図１０】
2006169674.tif 000012
【図１１】
2006169674.tif 000013